(57)【要約】【課題】種々の測定条件に対応可能であり、且つ電流のロスや信号の干渉を低減可能な光検出回路を提供する。【解決手段】蛍光測定装置において検出器である光電子増倍管（ＰＭＴ）１６に接続して使用される光検出回路に、入力電流を電圧に変換して出力するＩ／Ｖ変換回路２２と、入力電流をフォトンカウンティング法によってデジタル化したパルス信号に変換して出力するフォトンカウンティング回路２３と、入力電流をコンデンサに蓄積し、蓄積した電荷量に応じた電圧に変換して出力するチャージアンプ回路２４とを併設し、ＰＭＴ１６からの出力電流の入力先を回路切替部２１によって前記回路２２〜２４のいずれかに切り替える構成とする。【選択図】図１
2016017766.tif 000002
【特許請求の範囲】
【請求項１】
光源からの光を試料に照射し、照射光と前記試料との相互作用により該試料から得られる光を光電子増倍管で検出する光量測定装置において前記光電子増倍管に接続して使用される光検出回路であって、
a) 入力電流を電圧に変換して出力する電流電圧変換回路と、
b) 入力電流をフォトンカウンティング法によってデジタル化したパルス信号に変換して出力するフォトンカウンティング回路と、
c) 入力電流をコンデンサに蓄積し、蓄積した電荷量に応じた電圧に変換して出力するチャージアンプ回路と、
d) 前記光電子増倍管からの出力電流の入力先を前記電流電圧変換回路、前記フォトンカウンティング回路、又は前記チャージアンプ回路のいずれかに切り替える回路切替手段と、
を有することを特徴する光検出回路。
【請求項２】
更に、前記光量測定装置における測定条件に応じて前記回路切替手段を制御する制御手段を有し、
該制御手段が、
前記光源として定常光を発する光源を使用する際には前記試料から得られる光の強度に応じて前記光電子増倍管からの出力電流の入力先を前記電流電圧変換回路又は前記フォトンカウンティング回路のいずれかとし、
前記光源としてパルス光を発する光源を使用する際には前記光電子増倍管からの出力電流の入力先を前記チャージアンプ回路とするように、
前記回路切替手段を制御することを特徴とする請求項１に記載の光検出回路。
【請求項３】
前記光量測定装置が、前記光源からの光の照射によって前記試料が発する蛍光を測定する蛍光測定装置であって、
更に、前記光量測定装置における測定条件に応じて前記回路切替手段を制御する制御手段を有し、
前記制御手段が、
前記光源として定常光を発する光源を使用する場合には、前記蛍光の強度に応じて前記光電子増倍管からの出力電流の入力先を前記電流電圧変換回路又は前記フォトンカウンティング回路のいずれかとし、
前記光源としてパルス光を発する光源を使用し且つ蛍光寿命を測定する場合には、前記光電子増倍管からの出力電流の入力先を前記フォトンカウンティング回路とし、
前記光源としてパルス光を発する光源を使用し且つ蛍光強度を測定する場合には、前記光電子増倍管からの出力電流の入力先を前記チャージアンプ回路とするように、
前記回路切替手段を制御することを特徴とする請求項１に記載の光検出回路。
【請求項４】
a) 定常光を発する第１光源と、
b) パルス光を発する第２光源と、
c) 前記第１光源からの光又は第２光源からの光のいずれかを試料に照射する照射光切替手段と、
d) 照射光と前記試料との相互作用により該試料から得られる光を検出する光電子増倍管と、
e) 前記光電子増倍管に接続された光検出回路と、
を有し、前記光検出回路が請求項１〜３のいずれかに記載の光検出回路であることを特徴とする光量測定装置。
【発明の詳細な説明】
【技術分野】
【０００１】
本発明は、蛍光測定装置等の光量測定装置において光検出器である光電子増倍管からの出力信号を処理するために用いられる光検出回路、及びそれを備えた光量測定装置に関する。
【背景技術】
【０００２】
従来の蛍光測定装置の概略構成を図４に示す。該蛍光測定装置は、光源であるキセノン（Ｘｅ）アークランプ４１と、光検出器である光電子増倍管（Photomultiplier Tube、ＰＭＴ）４４と、ＰＭＴ４４に駆動電圧を供給する高電圧電源回路４５とを備えている。Ｘｅアークランプ４１から発せられた光が試料載置部４２にセットされた試料４３に照射されると、該試料４３中の成分が励起されて蛍光が発生し、ＰＭＴ４４に入射する。
【０００３】
光検出器であるＰＭＴ４４は、光電面（光電陰極）と、複数のダイノード（二次電子増倍電極）と、陽極とを含んでいる。前記光電面に光が入射すると該光電面から電子（光電子）が放出され、該光電子が最初のダイノードに衝突する。これによりダイノードから多数の二次電子が叩き出され、該二次電子が後段に設けられた複数のダイノードと衝突を繰り返すことにより電子が増幅されていく。なお、このときの増幅率はＰＭＴ４４に供給される駆動電圧によって決定される。増幅された電子は最終的に陽極に到達し、電荷パルスとして外部に取り出される。これによりＰＭＴ４４は入射した蛍光の光量に応じた電流を出力する。
【０００４】
このＰＭＴ４４からの出力電流は、蛍光検出基板４６に搭載された光検出回路にて処理される。該光検出回路では、まずＰＭＴ４４からの出力電流がＩ／Ｖ変換回路（電流電圧変換回路）４７にて電圧に変換された後、Ａ／Ｄコンバータ（ＡＤＣ）４８へと入力されて、デジタル値に変換される。得られたデジタル値は前記光検出回路の後段に設けられたデータ処理部に送出され、該データ処理部にて蛍光強度が算出される。
【先行技術文献】
【特許文献】
【０００５】
【特許文献１】特公平7-18757号公報
【発明の概要】
【発明が解決しようとする課題】
【０００６】
上記において、ＰＭＴへの入射光量（ここでは試料からの蛍光）が比較的大きい場合には、前記ＰＭＴの陽極に到達した電荷パルスが多数重なり合う。その結果、ＰＭＴからの出力電流は直流電流として扱うことができるため、上記のＩ／Ｖ変換回路で精度よく処理することができる。一方、ＰＭＴへの入射光量が小さい場合には、前記電荷パルスが離散的となるため、ＰＭＴの出力電流は直流ではなくパルス状となる。この場合には、該出力電流が不連続となるため、上記のＩ／Ｖ変換回路では精度よく測定することができない。そのため、こうしたパルス状の電流出力となる領域ではＩ／Ｖ変換回路に代えて、フォトンカウンティング法による測定を行う回路を用いる必要がある。フォトンカウンティング法は、ＰＭＴからの出力電流のパルス数をカウントすることによってＰＭＴへの入射光量（蛍光の強度）を算出する手法である。
【０００７】
しかしながら、従来の一般的な蛍光測定装置は単一の信号処理回路のみを有しているため、想定される蛍光強度に応じて異なる測定装置をユーザが使い分ける必要があった。
【０００８】
こうした問題を解決するものとして、特許文献１には直流成分測定用とフォトンカウンティング測定用の２つの信号処理回路を併設して成る測光装置が記載されている。この測光装置では、ＰＭＴからの出力電流を分岐させて前記２つの信号処理回路にそれぞれ入力し、各信号処理回路からの出力をデータ処理部に入力して処理することにより、前記ＰＭＴが受光した光量を求める構成となっている。
【０００９】
しかし、こうした構成の測光装置では、ＰＭＴからの出力が前記２つの信号処理回路の双方に送られるため、各回路を流れる信号が互いに干渉する可能性があった。更に、一方の信号処理回路による測定のみが必要な場合でも両方の回路に電流が流れるために電流のロスが生じるという問題もある。
【００１０】
また、一定量の光を試料に照射した後の、試料からの蛍光強度の推移（すなわち蛍光寿命）を測定する場合には、光源として定常光を発するＸｅアークランプではなく、パルス光を発生するＸｅフラッシュランプが有効である。光源としてＸｅフラッシュランプを使用した場合、ＰＭＴからの出力電流の周波数帯域がＸｅアークランプを使用した場合とは異なる。このためＸｅフラッシュランプを光源とする装置では、上述の直流成分測定用の回路及びフォトンカウンティング測定用の回路とは異なる信号処理回路が用いられる。これに対し、上記特許文献１に係る発明はパルス光を発する光源を有さず、パルス光光源に対応した信号処理回路も有していないため、蛍光寿命の測定に使用することはできなかった。
【００１１】
本発明は以上の点に鑑みてなされたものであり、その目的とするところは、一台の装置で定常光光源を用いた測定及びパルス光光源を用いた測定に対応可能であって、ＰＭＴへの入射光量が大きい場合にも小さい場合にも対応可能であり、且つ電流のロスや信号の干渉を生じることなく光電子増倍管からの出力電流を処理することが可能な光検出回路、及びそれを備えた光量測定装置を提供することにある。
【課題を解決するための手段】
【００１２】
上記課題を解決するために成された本発明に係る光検出回路は、
光源からの光を試料に照射し、照射光と前記試料との相互作用により該試料から得られる光を光電子増倍管で検出する光量測定装置において前記光電子増倍管に接続して使用される光検出回路であって、
a) 入力電流を電圧に変換して出力する電流電圧変換回路と、
b) 入力電流をフォトンカウンティング法によってデジタル化したパルス信号に変換して出力するフォトンカウンティング回路と、
c) 入力電流をコンデンサに蓄積し、蓄積した電荷量に応じた電圧に変換して出力するチャージアンプ回路と、
d) 前記光電子増倍管からの出力電流の入力先を前記電流電圧変換回路、前記フォトンカウンティング回路、又は前記チャージアンプ回路のいずれかに切り替える回路切替手段と、
を有することを特徴としている。
【００１３】
上記本発明に係る光検出回路は、電流電圧変換回路と、フォトンカウンティング回路と、チャージアンプ回路とを含んで成り、前記光電子増倍管からの出力電流をこれらの回路のいずれかに択一的に入力させる構成となっている。このような構成によれば、光量測定装置における測定条件に応じて回路を切り替えることにより、該測定条件に適した回路を使用して信号の処理を行うことができる。また、こうした構成によれば、不要な回路に電流が流れることがないため電流のロスを抑えることができ、更に従来のように各回路に流れた信号が互いに干渉することがないため、より正確な光量測定を行うことが可能となる。
【００１４】
本発明に係る光検出回路は、更に、前記光量測定装置における測定条件に応じて前記回路切替手段を制御する制御手段を有し、該制御手段が、前記光源として定常光を発する光源を使用する際には前記試料から得られる光の強度に応じて前記光電子増倍管からの出力電流の入力先を前記電流電圧変換回路又は前記フォトンカウンティング回路のいずれかとし、前記光源としてパルス光を発する光源を使用する際には前記光電子増倍管からの出力電流の入力先を前記チャージアンプ回路とするように前記回路切替手段を制御するものとすることが望ましい。
【００１５】
なお、前記信号切替部は例えば半導体スイッチから成るものとすることができ、前記制御手段は例えばプログラマブルロジックデバイス（ＰＬＤ）等のプログラマブルＩＣから成るものとすることができる。
【００１６】
前記光源として定常光を発する光源を使用する場合において、前記試料から得られる光の強度（すなわち光電子増倍管に入射する光の強度）が大きいときには前記電流電圧変換回路を使用し、前記試料から得られる光の強度が小さいときには前記フォトンカウンティング回路を使用することが望ましい。ここで、試料から得られる光の強度が大きいか小さいかは、例えば測定しようとする試料の種類や濃度等に応じてオペレータに判断させ、前記光量測定装置に入力させるものとすることができる。あるいは前記光量測定装置において前記電流電圧変換回路又は前記フォトンカウンティング回路のいずれかを用いて試料の予備的測定を実行し、該予備的測定の結果に基づいて前記光量測定装置が入射光量の大小を決定するようにしてもよい。
【００１７】
なお、前記光量測定装置（すなわち本発明に係る光検出回路が搭載される装置）が蛍光測定装置である場合には、光源としてパルス光を発する光源を使用することにより、蛍光強度の測定のほかに、蛍光の減衰（蛍光寿命）を測定することもできる。但し、こうした蛍光寿命の測定を行う際には、光電子増倍管からの出力電流をフォトンカウンティング回路によって処理することが望ましい。そこで、本発明に係る光検出回路を蛍光測定装置に適用する場合には、パルス光を発する光源を使用する際においても、測定条件（蛍光強度の測定を行うか蛍光寿命の測定を行うか）に応じて更に前記光電子増倍管からの出力電流の入力先を切り替える構成とすることが好ましい。
【００１８】
すなわち本発明に係る光検出回路は、前記光量測定装置が、前記光源からの光の照射によって前記試料が発する蛍光を測定する蛍光測定装置であって、
前記制御手段が、
前記光源として定常光を発する光源を使用する場合には、前記蛍光の強度に応じて前記光電子増倍管からの出力電流の入力先を前記電流電圧変換回路又は前記フォトンカウンティング回路のいずれかとし、
前記光源としてパルス光を発する光源を使用し且つ蛍光寿命を測定する場合には、前記光電子増倍管からの出力電流の入力先を前記フォトンカウンティング回路とし、
前記光源としてパルス光を発する光源を使用し且つ蛍光強度を測定する場合には、前記光電子増倍管からの出力電流の入力先を前記チャージアンプ回路とするように、
前記回路切替手段を制御するものとすることができる。
【００１９】
また、本発明に係る光量測定装置は、
a) 定常光を発する第１光源と、
b) パルス光を発する第２光源と、
c) 前記第１光源からの光又は第２光源からの光のいずれかを試料に照射する照射光切替手段と、
d) 照射光と前記試料との相互作用により該試料から得られる光を検出する光電子増倍管と、
e) 前記光電子増倍管に接続された光検出回路と、
を有し、前記光検出回路が上記いずれかの光検出回路であることを特徴としている。
【発明の効果】
【００２０】
以上で説明した通り、本発明に係る光検出回路及び光量測定装置によれば、定常光光源を用いた測定及びパルス光光源を用いた測定の双方に対応可能であって、更に光電子増倍管への入射光量が小さい場合にも大きい場合にも対応することができ、且つ電流のロスや回路の干渉を生じることなく光電子増倍管からの出力電流を処理することが可能となる。
【図面の簡単な説明】
【００２１】
【図１】本発明の一実施例による蛍光測定装置の概略構成を示すブロック図。
【図２】同実施例による蛍光測定装置において使用回路を決定する際の処理手順を示すフローチャート。
【図３】本発明を蛍光測定装置以外の光測定装置に適用した場合における使用回路の決定手順を示すフローチャート。
【図４】従来の光検出回路を備えた蛍光測定装置の概略構成を示すブロック図。
【発明を実施するための形態】
【００２２】
以下、本発明を実施するための形態について実施例を挙げて説明を行う。図１は本発明の一実施例に係る蛍光測定装置の概略構成を示すブロック図である。
【００２３】
本実施例に係る蛍光測定装置は定常光を発するＸｅアークランプ１１とパルス光を発するＸｅフラッシュランプ１２の２つの光源を有し、且つこれら２つの光源からの光のいずれかを選択的に試料に照射するための照射光切替部１３を備えている。該照射光切替部１３は例えばミラーやその駆動機構等で構成される。照射光切替部１３で選択された光源からの光は、試料載置部１４にセットされた試料１５に照射される。この照射光により試料１５中の成分が励起されて蛍光を発し、該蛍光が光電子増倍管（ＰＭＴ）１６に入射する。ＰＭＴ１６は、受光した光を電子に変換すると共に該電子を増幅して電流として出力する。このときの増幅率は高電圧電源回路１７から供給される駆動電圧により決定される。
【００２４】
ＰＭＴ１６からの出力電流は蛍光検出基板２０に搭載された光検出回路によって処理される。前記光検出回路は、信号処理回路としてＩ／Ｖ変換回路２２と、フォトンカウンティング回路２３と、チャージアンプ回路２４とを有すると共に、回路切替部２１と、Ａ／Ｄコンバータ（ＡＤＣ）２５と、プログラマブルロジックデバイス（ＰＬＤ）２６とを含んでいる。回路切替部２１としては、後段の各回路２２〜２４への影響を抑えるため、オン抵抗及びリーク電流が小さく、周波数特性のよいデバイスを使用することが望ましい。こうしたデバイスとしては、例えばアナログスイッチやフォトモスリレー等の半導体スイッチが挙げられる。
【００２５】
上記のＰＬＤ２６（本発明における制御手段に相当）は、蛍光検出基板２０の外部に設けられたＣＰＵ等から成るデータ処理部３１に接続されており、該データ処理部３１には更に、キーボード等から成る入力部３２と、メモリ等から成る記憶部３３が接続されている。
【００２６】
本実施例に係る蛍光測定装置を用いた測定を行うに際しては、ユーザが試料載置部１４に試料１５をセットし、入力部３２を用いて各種測定条件の設定を行う。前記測定条件としてオペレータは、まず測定に使用する光源（以下、使用光源とよぶ）を指定する。前記使用光源としてＸｅアークランプ１１を指定した場合には、更に試料１５から生じる蛍光光量の大きさとして「大」又は「小」を選択する。このとき前記試料１５から生じる蛍光の大きさが予め定められた閾値以上であることが分かっている場合には蛍光光量「大」を選択し、前記閾値未満であることが分かっている場合には蛍光光量「小」を指定する。また、蛍光光量の大小が不明である場合には蛍光光量「小」を選択する。なお、前記閾値としては、予めＩ／Ｖ変換回路２２を用いた信号処理にて精度よく光量測定を行うことのできる蛍光強度の下限値を求めておき、その値を利用する。
【００２７】
一方、前記使用光源としてＸｅフラッシュランプ１２を指定した場合は、蛍光寿命の測定を行うのか、蛍光強度の測定を行うのかを更に指定する。
【００２８】
以上により設定された測定条件は記憶部３３に記憶される。その後、オペレータが入力部３２から測定の開始を指示すると、ＰＬＤ２６が記憶部３３に記憶された各種設定に基づき測定に使用する信号処理回路（以下、使用回路とよぶ）を決定し、該ＰＬＤ２６による制御の下に、回路切替部２１が回路の切り換えを実行する。以下、このときの光検出回路の動作について図２のフローチャートを参照しつつ説明する。
【００２９】
まず、ＰＬＤ２６は使用光源としてＸｅアークランプ１１が設定されているか否かを判定する（ステップＳ１１）。そして、使用光源がＸｅアークランプ１１であった場合には、続いて蛍光光量が「大」に設定されているか否かを判定する（ステップＳ１３）。蛍光光量が「大」に設定されていた場合にはＩ／Ｖ変換回路２２を使用回路として決定し、回路切替部２１を制御してＰＭＴ１６の出力電流がＩ／Ｖ変換回路２２に入力されるようにする（ステップＳ１４）。これにより、ＰＭＴ１６の出力電流がＩ／Ｖ変換回路２２によって電圧に変換され、該電圧値がＡＤＣ２５にてデジタルデータに変換される。なお、ＰＬＤ２６はＡＤＣ２５の制御も行っており、ＡＤＣ２５で得られた前記デジタルデータはＰＬＤ２６を介してデータ処理部３１に送出される。
【００３０】
一方、ステップＳ１３でＮｏであった場合（すなわち蛍光光量が「小」に設定されていた場合）にはフォトンカウンティング回路２３を使用回路として決定し、回路切替部２１を制御して、ＰＭＴ１６の出力電流がフォトンカウンティング回路２３に入力されるようにする（ステップＳ１５）。上述したように、ＰＭＴ１６に入射する蛍光の強度が小さい場合には、ＰＭＴ１６からの出力電流はパルス状に離散したものとなる。フォトンカウンティング回路２３は、このような出力波形を予め定められた閾値を基準に二値化し、ＰＬＤ２６の内部カウンタでカウントするための矩形波を生成する。ＰＬＤ２６は一定時間毎に前記矩形波のパルスをカウントし、取得したカウント値をデータ処理部３１に送出する。データ処理部３１は取得したカウント数に基づいて蛍光強度を算出する。
【００３１】
なお、測定開始前の条件設定において、オペレータが使用光源としてＸｅアークランプ１１を選択し、且つ試料からの蛍光強度の大小が不明であるために蛍光強度「小」を選択した場合にも、フォトンカウンティング回路２３を用いた測定が実行される。その場合、結果的に試料から得られる蛍光強度が大きく、正確な蛍光測定が行われない場合がある。そこで、上記フォトンカウンティング回路２３を用いた測定により得られたデータ（例えば蛍光強度の時間変化を表す波形データ）をオペレータが確認し、蛍光強度が大きすぎて信号が飽和していると判断した場合には、オペレータが入力部３２を操作し、測定条件として蛍光強度「大」を選択し直して同一試料に対する測定を再度実行させる。これにより、Ｉ／Ｖ変換回路２２を用いた測定が実行されるため、強度の大きい蛍光も精度よく測定することができる。また、上記とは逆に蛍光強度の大小が不明である場合に蛍光強度「大」を選択するようにしてもよい。この場合、測定により得られたデータをオペレータが確認し、蛍光強度が小さすぎて正確な測定が行われていないと判断した場合には、測定条件として蛍光強度「小」を選択し直して再測定を行う。あるいは、蛍光強度「大」又は「小」の設定で測定を行って得られたデータに基づいて、測定が適切に行われたか否かをデータ処理部３１が判定し、適切に行われていないと判定した場合に、自動的に蛍光強度を選択し直して再測定を実行するようにしてもよい。
【００３２】
ステップＳ１１でＮｏであった場合（すなわち使用光源がＸｅフラッシュランプ１２である場合）には、続いてＰＬＤ２６は蛍光寿命の測定を行う旨が設定されているか否かを判定する（ステップＳ１２）。蛍光寿命の測定を行う旨が設定されていた場合には、フォトンカウンティング回路２３を使用回路として決定し、回路切替部２１を制御して、ＰＭＴ１６の出力電流がフォトンカウンティング回路２３に入力されるようにする（ステップＳ１５）。Ｘｅフラッシュランプ１２は、１回あたりの発光時間が数μ秒と短く、瞬間的な光量が大きいという特性を持つため、蛍光寿命の測定に適している。但し、Ｘｅフラッシュランプ１２からの光を試料１５に照射した直後は、試料１５から生じる蛍光強度が大きくなる。上述の通り、ＰＭＴ１６への入射光量（ここでは試料からの蛍光）が大きい場合には、ＰＭＴ１６の陽極から取り出される電荷パルスが多数重なり合うため、フォトンカウンティング回路２３による信号処理には適さない。そこで、この場合は、Ｘｅフラッシュランプ１２が発光した後、所定の時間が経過して試料１５からの蛍光の強度がフォトンカウンティング回路２３での検出に適したレベルまで下がってから該回路２３による信号処理を開始することが望ましい。この場合、光源の発光直後から信号処理の開始までの時間域における蛍光強度のデータは得られないが、蛍光寿命を測定する場合には光源の発光後、どれくらいの時間でどのように減衰していくかを知ることができればよく、前記時間域における蛍光強度のデータは必ずしも必要ないため特に問題はない。なお、フォトンカウンティング回路２３による信号処理の開始のタイミングはＰＬＤ２６によって制御される。フォトンカウンティング回路２３による信号処理が開始されると、該回路２３は、上記同様にＰＭＴ１６からの出力電流の波形を予め定められた閾値を基準に二値化して矩形波を生成する。そして、該矩形波のパルス数がＰＬＤ２６によって一定時間毎にカウントされ、そのカウント値がデータ処理部３１に送出される。このとき、前記カウントを行う時間間隔を狭くすることにより、滑らかな蛍光減衰曲線を描くことが可能となる。
【００３３】
一方、ステップＳ１２でＮｏであった場合（すなわち蛍光強度の測定を行う旨が設定されていた場合）には、ＰＬＤ２６はチャージアンプ回路２４を使用回路として決定し、回路切替部２１を制御して、ＰＭＴ１６の出力電流がチャージアンプ回路２４に入力されるようにする（ステップＳ１６）。Ｘｅフラッシュランプ１２は所定の時間間隔でパルス状に発光するため、該パルス状の光の照射により試料から生じる蛍光も、前記発光の周期に同期したパルス光となる。そのため、Ｘｅアークランプ１１用のＩ／Ｖ変換回路２２ではＰＭＴ１６からの出力波形に基づいて蛍光強度を精度よく求めることができない。そのため、この場合にはチャージアンプ回路２４を使用し、ＰＭＴ１６からの出力電流を一定時間（Ｘｅフラッシュランプ１２が発光している期間）に亘って積分した値を読み取ることにより蛍光強度を測定する。チャージアンプ回路２４はコンデンサを備えており、該コンデンサに蓄積された電荷を電圧値に変換してＡＤＣ２５に出力する。ＡＤＣ２５はその電圧値をデジタル信号に変換し、ＰＬＤ２６を介してデータ処理部３１へ送出する。
【００３４】
以上の通り、本実施例に係る蛍光測定装置によれば、測定条件に応じた適切な信号処理回路を使用してＰＭＴ１６の出力電流を処理することができる。そのため、一台の装置で様々な測定条件による蛍光測定を実行することが可能となる。また、ＰＭＴ１６からの出力電流を並列に設けられたＩ／Ｖ変換回路２２、フォトンカウンティング回路２３、又はチャージアンプ回路２４のいずれかに択一的に入力させることができるため、従来のような電流のロスや信号の干渉の発生を防止することができる。
【００３５】
なお、上記の蛍光測定装置では測定条件として光源の種類、及び試料から得られる光（蛍光）の大小又は実行する測定の種類（蛍光寿命の測定又は蛍光強度の測定）をオペレータに入力させるものとしたが、これに限らず、例えば測定条件として、「Ｘｅアークランプを使用し、蛍光強度大の試料の蛍光強度を測定するモード」、「Ｘｅアークランプを使用し、蛍光強度小の試料の蛍光強度を測定するモード」、「Ｘｅフラッシュランプを使用し、蛍光寿命を測定するモード」、「Ｘｅフラッシュランプを使用し、蛍光強度を測定するモード」といった複数種類の測定モードを用意しておき、これらの測定モードの中からいずれかをオペレータに選択させるようにしてもよい。
【００３６】
以上、本発明を実施するための形態について実施例を挙げて説明を行ったが、本発明は上記実施例に限定されるものではなく、適宜変更が許容される。例えば、上記実施例では本発明に係る測光装置を蛍光測定装置としたが、これに限らず試料に光を照射し、該試料からの反射光、散乱光、又は透過光等を測定する装置としてもよい。また、定常光を発する光源及びパルス光を発する光源として、それぞれＸｅアークランプ及びＸｅフラッシュランプ以外の光源を使用してもよい。例えば、本発明を試料からの透過光を測定する装置（吸光光度計）等に適用する場合、定常光を発する光源として重水素ランプ等を使用することができる。
【００３７】
なお、蛍光測定装置以外の光量測定装置では蛍光寿命の測定を行うことはないため、使用回路を決定する際の手順は図３のフローチャートに示すようなものとなる。すなわち、まず使用光源として定常光を発する光源が指定されているか否かを判定（ステップＳ２１）する。そして、定常光を発する光源（例えばＸｅアークランプや重水素ランプ）が指定されていた場合には、続いて試料から得られる光の強度が「大」に設定されているか否かを判定し（ステップＳ２２）、「大」に設定されていた場合には、使用回路としてＩ／Ｖ変換回路を選択する（ステップＳ２３）。また、ステップＳ２２がＮｏであった場合（すなわち前記光量が「小」に設定されていた場合）には、使用回路としてフォトンカウンティング回路を選択する（ステップＳ２４）。また、ステップＳ２１でＮｏであった場合（すなわち使用光源としてパルス光を発する光源が指定されていた場合）には、使用光源としてチャージアンプ回路を選択する（ステップＳ２５）。  
【符号の説明】
【００３８】
１１…Ｘｅアークランプ
１２…Ｘｅフラッシュランプ
１３…照射光切替部
１４…試料載置部
１５…試料
１６…光電子増倍管（ＰＭＴ）
１７…高電圧電源回路
２０…蛍光検出基板
２１…回路切替部
２２…Ｉ／Ｖ変換回路
２３…フォトンカウンティング回路
２４…チャージアンプ回路
２５…Ａ／Ｄコンバータ（ＡＤＣ）
２６…プログラマブルロジックデバイス（ＰＬＤ）
３１…データ処理部
３２…入力部
３３…記憶部
【図１】
2016017766.tif 000003
【図２】
2016017766.tif 000004
【図３】
2016017766.tif 000005
【図４】
2016017766.tif 000006